(57)【要約】【課題】  調剤薬局における業務をトータルで支援して実効性のある在庫管理を実現する調剤薬局支援システムを提供する。【解決手段】  処方箋に基づいて必要な入出力処理を行う処方箋処理部１１０と、医薬品名と医薬品コードと商品流通コードとを対応づけた医薬品データを格納した医薬品マスターデータ格納部１２０と、発注先に医薬品を商品流通コードで発注する発注処理部１３０と、医薬品に付されている商品流通コードで入庫処理を行う入庫処理部１４０と、医薬品コード、商品流通コード又はこれらのコードと関連付けられた中間コードで出庫処理を行う出庫処理部１５０と、医薬品コード、商品流通コード又はこれらのコードと関連付けられた中間コードで在庫管理を行う在庫管理部１６０と、これら各部を制御するための制御部１７０とを備えたことを特徴とする調剤薬局支援システム。【選択図】  図１
2005115878.tif 000002
【特許請求の範囲】
【請求項１】
処方箋に基づいて必要な入出力処理を行う処方箋処理部と、
医薬品名と医薬品コードと商品流通コードとを対応づけた医薬品データを格納した医薬品マスターデータ格納部と、
発注先に医薬品を商品流通コードで発注する発注処理部と、
医薬品に付されている商品流通コードで入庫処理を行う入庫処理部と、
医薬品コード、商品流通コード又はこれらのコードと関連付けられた中間コードで出庫処理を行う出庫処理部と、
医薬品コード、商品流通コード又はこれらのコードと関連付けられた中間コードで在庫管理を行う在庫管理部と、
これら各部を制御するための制御部とを備えたことを特徴とする調剤薬局支援システム。
【請求項２】
請求項１に記載の調剤薬局支援システムにおいて、
前記発注処理部、前記入庫処理部、前記出庫処理部及び前記在庫管理部は、商品流通コードを読み取るコード読み取り装置を有することを特徴とする調剤薬局支援システム。
【請求項３】
請求項１又は２に記載の調剤薬局支援システムにおいて、
医薬品名と医薬品コードと商品流通コードとを対応づけた最新の医薬品データが格納されたサーバに通信回線を介して接続可能な通信制御部をさらに備えたことを特徴とする調剤薬局支援システム。
【請求項４】
請求項３に記載の調剤薬局支援システムにおいて、
前記通信制御部は、この調剤薬局支援システムの提供者側に設けられこの調剤薬局支援システムのプログラムやデータをアップデートするためのサーバ及び調剤薬局支援システムからの発注を受け付ける卸問屋のサーバにも通信回線を介して接続可能であることを特徴とする調剤薬局支援システム。
【請求項５】
請求項１〜４のいずれかに記載の調剤薬局支援システムにおいて、
前記入庫処理部、前記出庫処理部及び前記在庫管理部は、一つの医薬品名、医薬品コード又は商品流通コードに対して、複数の棚番を割り当てることが可能であることを特徴とする調剤薬局支援システム。
【請求項６】
請求項１〜５のいずれかに記載の調剤薬局支援システムにおいて、
箱で管理している医薬品の場合に、どういう条件になったら箱を開封するかのルール及びどの箱から開封するかのルールを設定可能であることを特徴とする調剤薬局支援システム。
【請求項７】
請求項１〜５のいずれかに記載の調剤薬局支援システムにおいて、
前記出庫処理部は、処方箋に基づいて医薬品を出庫するときに出庫ルールを画面に表示して医薬品の出庫処理を支援するとともに、医薬品名又は医薬品コードを入力する画面を表示して出庫処理に関する入力を支援することを特徴とする調剤薬局支援システム。
【請求項８】
請求項１〜５のいずれかに記載の調剤薬局支援システムにおいて、
前記出庫処理部は、処方箋に基づいて医薬品を出庫するときに出庫ルールを画面に表示して医薬品の出庫処理を支援するとともに、商品流通コード又はこれに相当する中間コードを入力する画面を表示して出庫処理に関する入力を支援することを特徴とする調剤薬局支援システム。
【請求項９】
請求項１〜８のいずれかに記載の調剤薬局支援システムにおいて、
前記入庫処理部は、入庫した医薬品の商品流通コード及び数量に加えてロット番号毎の有効期限情報を入力する画面を表示して入庫処理を支援し、
前記在庫管理部は、ロット番号毎に有効期限を管理することが可能であることを特徴とする調剤薬局支援システム。
【請求項１０】
請求項１〜９のいずれかに記載の調剤薬局支援システムにおいて、
医薬品の種類及び薬価と医薬品に対応する商品流通コード及び購入価とを対応させた薬価・購入価対応データ格納部をさらに備えたことを特徴とする調剤薬局支援システム。
【請求項１１】
調剤薬局のコンピュータシステムを、
処方箋に基づいて必要な入出力処理を行う処方箋処理部と、
医薬品名と医薬品コードと商品流通コードとを対応づけた医薬品データを格納した医薬品マスターデーター格納部と、
発注先に医薬品を商品流通コードで発注する発注処理部と、
医薬品に付されている商品流通コードで入庫処理を行う入庫処理部と、
医薬品コード、商品流通コード又はこれらのコードと関連付けられた中間コードで出庫処理を行う出庫処理部と、
医薬品コード、商品流通コード又はこれらのコードと関連付けられた中間コードで在庫管理を行う在庫管理部と、
これら各部を制御するための制御部とを備えた調剤薬局支援システムとして機能させることを特徴とする調剤薬局支援プログラム。
【発明の詳細な説明】
【技術分野】
【０００１】
本発明は、調剤薬局における多様な業務を支援するための調剤薬局支援システム及び調剤薬局支援プログラムに関する。
【背景技術】
【０００２】
調剤薬局においては、医薬分業により、医師の処方箋に基づいて医薬品が処方されている。調剤薬局では、患者情報や処方内容を入力する処方箋受付、入力された処方内容の監査、処方薬の調剤、処方薬の監査、投薬・服薬指導、薬袋、医薬品情報、領収書当の印刷、会計、保険請求事務、患者の薬歴管理などの業務に加えて、医薬品の発注処理、医薬品の入庫処理、医薬品の出庫処理、医薬品の在庫管理、医薬品の有効期限管理などの煩雑な業務を行わなければならない。その上、日々変化する医薬品情報、度重なる法改正等の環境の変化に対処しなければならない。
【０００３】
このような調剤薬局における業務を支援するために、調剤薬局支援システムが提案されている（例えば、特許文献１及び２参照。）。
特許文献１に開示された調剤薬局支援システムは、処方内容の安全性チェック機能、薬歴管理機能、服薬指導機能を支援するためのシステムである。
特許文献２に開示された調剤薬局支援システムは、小規模薬局に対して、処方箋記載の薬剤監査、薬歴管理、服薬指導、保険請求事務、医薬品の在庫管理などの業務を支援するシステムである。
【特許文献１】特開２０００−１６３４９８号公報
【特許文献２】特開２００２−３２４１８１号公報
【発明の開示】
【発明が解決しようとする課題】
【０００４】
しかしながら、上記したいずれの特許文献に開示された調剤薬局支援システムも、調剤薬局における医薬品の発注処理、医薬品の入庫処理、医薬品の出庫処理、医薬品の在庫管理、医薬品の有効期限管理等の業務をトータルで支援して実効性のある在庫管理を実現する調剤薬局支援システムであるとはいえなかった。
【０００５】
そこで、本発明は、上記事情に鑑みてなされたもので、調剤薬局における医薬品の発注処理、医薬品の入庫処理、医薬品の出庫処理、医薬品の在庫管理、医薬品の有効期限管理等の業務をトータルで支援して実効性のある在庫管理を実現する調剤薬局支援システム及び調剤薬局支援プログラムを提供することを目的とする。
【課題を解決するための手段】
【０００６】
（１）本発明の調剤薬局支援システムは、処方箋に基づいて必要な入出力処理を行う処方箋処理部と、医薬品名と医薬品コードと商品流通コードとを対応づけた医薬品データを格納した医薬品マスターデータ格納部と、発注先に医薬品を商品流通コードで発注する発注処理部と、医薬品に付されている商品流通コードで入庫処理を行う入庫処理部と、医薬品コード、商品流通コード又はこれらのコードと関連付けられた中間コードで出庫処理を行う出庫処理部と、医薬品コード、商品流通コード又はこれらのコードと関連付けられた中間コードで在庫管理を行う在庫管理部と、これら各部を制御するための制御部とを備えたことを特徴とする。
【０００７】
このため、本発明の調剤薬局支援システムによれば、医薬品名と医薬品コードと商品流通コードとを対応づけた医薬品データを格納した医薬品マスターデータ格納部を備えているため、この医薬品マスターデータ格納部に格納されている医薬品データを適宜参照することにより、それぞれ適切な処方箋処理、発注処理、入庫処理、出庫処理及び在庫管理を行うことができるようになる。
【０００８】
すなわち、処方箋処理部においては、医薬品名又は医薬品コードを入力する画面を表示するようにして、商品流通コードを意識せずに処方内容を入力することができるようになる。
【０００９】
また、医薬品を商品流通コードで管理している卸問屋に対しては、商品流通コードを用いて医薬品の発注処理を行うことで確実で迅速な発注処理を行うことができる。この際、コード読取装置等を用いて医薬品を特定するようにすればさらに確実で迅速な発注処理を行うことができる。
【００１０】
また、入庫された医薬品に付されている商品流通コードを用いて医薬品の入庫処理を行うことで確実で迅速な入庫処理を行うことができる。この際、コード読取装置等を用いて商品流通コードを読み取るようにすればさらに確実で迅速な入庫処理を行うことができる。
【００１１】
また、医薬品の出庫を行う際には、箱から出されたバラの医薬品等を出庫するような場合には、その医薬品の医薬品名や医薬品コードを入力することにより、また他の調剤薬局に箱ごと出庫するような場合にはその医薬品の商品流通コードやこれに関連付けられた中間コードを入力することにより、確実、迅速で適切な出庫処理を行うことができる。後者の場合、コード読取装置等を用いて医薬品を特定するようにすればさらに確実で迅速な出庫処理を行うことができる。
【００１２】
さらにまた、上記したように入庫・出庫を確実、迅速、適切に行うことができるため、また、コード読み取り装置等を用いることにより確実で迅速な棚卸を行うことができるため、結果として、確実、迅速、適切な在庫管理を行うことができるようになる。
【００１３】
その結果、本発明の調剤薬局支援システムによれば、調剤薬局における医薬品の発注処理、医薬品の入庫処理、医薬品の出庫処理、医薬品の在庫管理等の業務をトータルで支援して実効性のある在庫管理を実現することができるようになる。
【００１４】
なお、医薬品コードは厚生労働省によって医薬品の種類毎に付与されるコードである。また、商品流通コードは、例えばＪＡＮ（Japanese Article Number）コードのような販売の最小単位毎に付与されるコードである。また、中間コードは、例えば調剤薬局支援システム提供者等が付与する業者別のコードなどのコードである。
医薬品マスターデータ格納部には、このほかに、医療費を社会保険診療報酬支払基金等に請求するためのレセプト電算処理システム基本マスターデータに相当するコードも格納されていることが好ましい。
【００１５】
医薬品コードは包装形態が異なる医薬品に対しても同じコードが設定される。商品流通コードは包装形態が異なる医薬品には異なるコードが設定される。例えば１０錠毎の包装と１００錠毎の包装では、医薬品コードは同一であるのに対し、商品流通コードは異なるコードが設定される。
【００１６】
（２）上記（１）に記載の調剤薬局支援システムにおいて、前記発注処理部、前記入庫処理部、前記出庫処理部及び前記在庫管理部は、商品流通コードを読み取るコード読み取り装置を有することを特徴とする。
【００１７】
上記したように、発注処理部、入庫処理部、出庫処理部及び在庫管理部においては、商品流通コードを用いて医薬品の発注処理、入庫処理、出庫処理及び在庫管理を行うことで、確実、迅速、適切な処理を行うことができるため、このような商品流通コードを確実、迅速に読むことのできるコード読取装置をこれらの各部に備えることにより、実効性のある在庫管理等の業務を行うことができるようになる。
この場合、これらの入力作業、確認作業を迅速に行うことができるため、これらの作業者が確実にこれらの作業を行うようになり、調剤薬局支援システム全体の信頼性を高めることができるという効果もある。
【００１８】
小規模の調剤薬局支援システムの場合、発注処理部、入庫処理部、出庫処理部及び在庫管理部が１台又は少数台のコンピュータで兼用されている場合がある。このような場合には、コード読み取り装置もこれらの各部で兼用することが好ましい。
逆に、大規模の調剤薬局支援システムの場合には、発注処理部、入庫処理部、出庫処理部及び在庫管理部がそれぞれ２台以上のコンピュータを有する場合がある。このような場合には、これに応じて適宜コード読み取り装置を備えるようにすることが好ましい。
【００１９】
コード読み取り装置としては、現在広く普及しており信頼性が高く安価なバーコードリーダ、情報量の大きな二次元コードを読み取ることができる二次元コードリーダ等を好ましく用いることができる。
【００２０】
（３）上記（１）又は（２）に記載の調剤薬局支援システムにおいて、医薬品名と医薬品コードと商品流通コードとを対応づけた最新の医薬品データが格納されたサーバに通信回線を介して接続可能な通信制御部をさらに備えたことを特徴とする。
【００２１】
商品流通コードは、医薬品の包装が変わるとそれに応じて日々変更される。従って、調剤薬局支援システムはこの商品流通コードの変更に対応していないと、確実な在庫管理等を行うことができなくなる。
このため、上記のように構成することにより、最新の医薬品データが格納されたサーバから最新の医薬品データを定期的にダウンロードして、医薬品マスターデータ格納部を常に最新の医薬品データが格納された状態にしておくことができるため、常に確実な在庫管理等を行うことができるようになる。通信回線としては、一般公衆回線及びインターネットを好ましく用いることができる。
【００２２】
（４）上記（３）に記載の調剤薬局支援システムにおいて、前記通信制御部は、この調剤薬局支援システムの提供者側に設けられこの調剤薬局支援システムのプログラムやデータをアップデートするためのサーバ及び調剤薬局支援システムからの発注を受け付ける卸問屋のサーバにも通信回線を介して接続可能であることを特徴とする。
このように構成することにより、日々変化する医薬品情報、度重なる法改正等の環境の変化に対しても迅速に対応することができ、この調剤薬局支援システムを常に最新、ベストの状態に置いておくことが可能になる。
また、卸問屋への迅速な発注処理を行うことができるようにもなる。
【００２３】
この場合、調剤薬局がチェーン店の場合には、前記通信制御部は、他のチェーン店における調剤薬局支援システムの通信制御部にも通信回線を介して接続可能であることが好ましい。このように構成することにより、他のチェーン店との間で、発注単位に対して使用量の少ない医薬品の相互使用を図ることができるようになり、医薬品の在庫を適正にすることができるようになる。その結果、医薬品の管理コストを低減したり、有効期限切れで医薬品を廃棄しないといけなくなるような事態を回避したりすることができるようになる。
【００２４】
（５）上記（１）〜（４）のいずれかに記載の調剤薬局支援システムにおいて、前記入庫処理部、前記出庫処理部及び前記在庫管理部は、一つの医薬品名、医薬品コード又は商品流通コードに対して、複数の棚番を割り当てることが可能であることを特徴とする。
調剤薬局においては、一つの医薬品名、医薬品コード又は商品流通コードに対応する医薬品を複数の棚で管理することがあるが、上記のように構成することにより、この調剤薬局支援システムを用いることによって、もれのない確実な出庫処理や在庫管理を行うことができるようになる。
【００２５】
（６）上記（１）〜（５）のいずれかに記載の調剤薬局支援システムにおいて、箱で管理している医薬品の場合に、どういう条件になったら箱を開封するかのルール及びどの箱から開封するかのルールを設定可能であることを特徴とする。
このように構成することにより、この調剤薬局支援システムを用いることによって、開封ルールを徹底することができるようになり、過不足ない医薬品の在庫管理等を行うことができるようになる。このため、管理コストを低減したり、有効期限切れで医薬品を廃棄しないといけなくなるような事態を回避したりすることができるようになる。
【００２６】
（７）上記（１）〜（５）のいずれかに記載の調剤薬局支援システムにおいて、前記出庫処理部は、処方箋に基づいて医薬品を出庫するときに出庫ルールを画面に表示して医薬品の出庫処理を支援するとともに、医薬品名又は医薬品コードを入力する画面を表示して出庫処理に関する入力を支援することを特徴とする。
このように構成することにより、薬剤師が処方箋に従って必要な医薬品を出庫するときに、この調剤薬局支援システムに医薬品名又は医薬品コードを入力することで、商品流通コードを意識することなく適切な在庫管理を行うことができるようになる。
【００２７】
（８）上記（１）〜（５）のいずれかに記載の調剤薬局支援システムにおいて、前記出庫処理部は、処方箋に基づいて医薬品を出庫するときに出庫ルールを画面に表示して医薬品の出庫処理を支援するとともに、商品流通コード又はこれに相当する中間コードを入力する画面を表示して出庫処理に関する入力を支援することを特徴とする。
このように構成することにより、薬剤師が処方箋に従って必要な医薬品を出庫するときに、この調剤薬局支援システムに商品流通コード又はこれに相当する中間コードを入力することで、確実な在庫管理を行うことができるようになる。
また、調剤薬局がチェーン店の場合であって、他のチェーン店に在庫の医薬品の箱を出庫するような場合に、この調剤薬局支援システムに商品流通コード又はこれに相当する中間コードを入力することで、確実で迅速な在庫管理を行うことができるようになる。
【００２８】
（９）上記（１）〜（８）のいずれかに記載の調剤薬局支援システムにおいて、前記入庫処理部は、入庫した医薬品の商品流通コード及び数量に加えてロット番号毎の有効期限情報を入力する画面を表示して入庫処理を支援し、前記在庫管理部は、ロット番号毎に有効期限を管理することが可能であることを特徴とする。
このように構成することにより、ロット毎に有効期限を管理できるようになるため、先入先出管理を徹底して行うことが可能になり、有効期限切れで医薬品を廃棄しなければいけない事態を極力回避することができるようになる。
【００２９】
（１０）上記（１）〜（９）のいずれかに記載の調剤薬局支援システムにおいて、医薬品の種類及び薬価と医薬品に対応する商品流通コード及び購入価とを対応させた薬価・購入価対応データ格納部をさらに備えたことを特徴とする。
このように構成することにより、医薬品を商品流通コードで表示するときに、商品流通コード毎に異なる購入価を同時に参照することができるため、きめの細かい会計処理が可能となる。
【００３０】
（１１）本発明の調剤薬局支援プログラムは、調剤薬局のコンピュータシステムを、処方箋に基づいて必要な入出力処理を行う処方箋処理部と、医薬品名と医薬品コードと商品流通コードとを対応づけた医薬品データを格納した医薬品マスターデーター格納部と、発注先に医薬品を商品流通コードで発注する発注処理部と、医薬品に付されている商品流通コードで入庫処理を行う入庫処理部と、医薬品コード、商品流通コード又はこれらのコードと関連付けられた中間コードで出庫処理を行う出庫処理部と、医薬品コード、商品流通コード又はこれらのコードと関連付けられた中間コードで在庫管理を行う在庫管理部と、これら各部を制御するための制御部とを備えた調剤薬局支援システムとして機能させることを特徴とする。
【００３１】
このため、本発明の調剤薬局支援プログラムによれば、調剤薬局のコンピュータシステムを、上記したように、調剤薬局における医薬品の発注処理、医薬品の入庫処理、医薬品の出庫処理、医薬品の在庫管理等の業務をトータルで支援して実効性のある在庫管理を実現することができる優れた調剤薬局支援システムとして機能させることができるようになる。
【発明を実施するための最良の形態】
【００３２】
以下、本発明の調剤薬局支援システム及び調剤薬局支援プログラムの実施の形態について説明する。但し、いうまでもなく、本発明は以下の実施の形態に限定されるものではない。
【００３３】
図１は、本発明の実施形態に係る調剤薬局支援システムの概要を示すブロック図である。実施形態に係る調剤薬局支援システム１０は、処方箋に基づいて必要な入出力処理を行う処方箋処理部１１０と、医薬品名と医薬品コードと商品流通コードとを対応づけた医薬品データを格納した医薬品マスターデータ格納部１２０と、発注先に医薬品を商品流通コードで発注する発注処理部１３０と、医薬品に付されている商品流通コードで入庫処理を行う入庫処理部１４０と、医薬品コード、商品流通コード又はこれらのコードと関連付けられた中間コードで出庫処理を行う出庫処理部１５０と、医薬品コード、商品流通コード又はこれらのコードと関連付けられた中間コードで在庫管理を行う在庫管理部１５０と、通信制御部１７０と、これら各部を制御するための制御部１００とを備えている。
【００３４】
このため、実施形態に係る調剤薬局支援システム１０によれば、医薬品名と医薬品コードと商品流通コードとを対応づけた医薬品データを格納した医薬品マスターデータ格納部１２０を備えているので、この医薬品マスターデータ格納部１２０に格納されている医薬品データを適宜参照することにより、それぞれ適切な処方箋処理、発注処理、入庫処理、出庫処理及び在庫管理を行うことができるようになる。
【００３５】
従って、処方箋処理部１１０においては、医薬品名又は医薬品コードを入力する画面を表示するようにして、商品流通コードを意識せずに処方内容を入力することができるようになる。
【００３６】
また、発注処理部１３０においては、医薬品を商品流通コードで管理している卸問屋に対しては、商品流通コードを用いて医薬品の発注処理を行うことで確実で迅速な発注処理を行うことができる。この際、コード読取装置等を用いて医薬品を特定するようにすればさらに確実で迅速な発注処理を行うことができる。
図２は、発注処理を行う際に用いる発注伝票に必要な情報を入力するための発注伝票入力画面の例を示す図である。この入力画面においては、医薬品が商品流通コード（画面では「ＪＡＮコード」と表示。）及び医薬品名（画面では「薬品名」と表示。）で表示されている。
【００３７】
また、入庫処理部１４０においては、入庫された医薬品に付されている商品流通コードを用いて医薬品の入庫処理を行うことで確実で迅速な入庫処理を行うことができる。この際、コード読取装置等を用いて商品流通コードを読み取るようにすればさらに確実で迅速な入庫処理を行うことができる。
図３は、入庫処理を行う際に用いる入庫伝票に必要な情報を入力するための入庫伝票入力画面の例を示す図である。この入力画面においても、この入力画面においては、医薬品が商品流通コード（画面では「ＪＡＮコード」と表示。）及び医薬品名（画面では「薬品名」と表示。）で表示されている。
【００３８】
また、出庫処理部１５０においては、医薬品の出庫を行う際には、箱から出されたバラの医薬品等を出庫するような場合には、その医薬品の医薬品名や医薬品コードを入力することにより、また他の調剤薬局に箱ごと出庫するような場合にはその医薬品の商品流通コードやこれに関連付けられた中間コードを入力することにより、確実、迅速で適切な出庫処理を行うことができる。後者の場合、コード読取装置等を用いて医薬品を特定するようにすればさらに確実で迅速な出庫処理を行うことができる。
図４は、出庫処理を行う際に用いる出庫伝票に必要な情報を入力するための出庫伝票入力画面の例を示す図である。この入力画面においても、この入力画面においては、医薬品が商品流通コード（画面では「ＪＡＮコード」と表示。）及び医薬品名（画面では「薬品名」と表示。）で表示されている。
【００３９】
さらにまた、在庫管理部１６０においては、上記したように入庫・出庫を確実、迅速、適切に行うことができるため、また、コード読み取り装置等を用いることにより確実、迅速な棚卸を行うことができるため、結果として、確実、迅速、適切な在庫管理を行うことができるようになる。
図５は、在庫管理を行う際に用いる在庫管理画面の例を示す図である。この画面は在庫管理薬品の一覧を表示している。この一覧画面においては、医薬品が医薬品名（画面では「薬品名」と表示。）で表示されているが、商品流通コード毎に在庫表示を行う画面も準備されている。
【００４０】
その結果、実施形態に係る調剤薬局支援システム１０によれば、調剤薬局における医薬品の発注処理、医薬品の入庫処理、医薬品の出庫処理、医薬品の在庫管理等の業務をトータルで支援して実効性のある在庫管理を実現することができるようになる。
【００４１】
実施形態に係る調剤薬局支援システム１０においては、発注処理部１３０、入庫処理部１４０、出庫処理部１５０及び在庫管理部１６０は、商品流通コードを読み取るコード読み取り装置を有している。このため、商品流通コードを確実、迅速に読むことができるようになり、さらに実効性のある在庫管理等の業務を行うことができるようになる。
この場合、調剤薬局支援システム１０における医薬品データの入力作業、確認作業を迅速に行うことができるため、作業者が確実にこれらの作業を行うようになり、調剤薬局支援システム全体の信頼性を高めることができるという効果も得られる。
【００４２】
小規模の調剤薬局支援システムの場合、発注処理部１３０、入庫処理部１４０、出庫処理部１５０及び在庫管理部１６０が１台又は少数台のコンピュータで兼用されている場合がある。このような場合には、コード読み取り装置もこれらの各部で兼用することが好ましい。
逆に、大規模の調剤薬局支援システムの場合には、発注処理部１３０、入庫処理部１４０、出庫処理部１５０及び在庫管理部１６０がそれぞれ２台以上のコンピュータを有する場合がある。このような場合には、これに応じて適宜コード読み取り装置を備えるようにすることが好ましい。
【００４３】
実施形態に係る調剤薬局支援システム１０においては、コード読み取り装置としては、現在広く普及しており信頼性が高く安価なバーコードリーダを用いている。但し、このバーコードリーダに代えてまたはバーコードリーダに加えて、情報量の大きな二次元コードを読み取ることができる二次元コードリーダを用いることもできる。
【００４４】
通信制御部１７０は、医薬品名と医薬品コードと商品流通コードとを対応づけた最新の医薬品データが格納されたサーバ２０に通信回線を介して接続されている。
このため、最新の医薬品データが格納されたサーバ２０から最新の医薬品データを定期的にダウンロードして、医薬品マスターデータ格納部１２０には常に最新の医薬品データが格納された状態にしておくことができるため、常に確実な在庫管理等を行うことができるようになる。通信回線としては、一般公衆回線及びインターネットを好ましく用いることができる。
【００４５】
通信制御部１７０は、この調剤薬局支援システムの提供者側に設けられこの調剤薬局支援システムのプログラムやデータをアップデートするためのサーバ３０及び調剤薬局支援システムからの発注を受け付ける卸問屋のサーバ４０にも通信回線を介して接続されている。
このため、日々変化する医薬品情報、度重なる法改正等の環境の変化に対しても迅速に対応することができ、この調剤薬局支援システム１０を常に最新、ベストの状態に置いておくことが可能になる。また、卸問屋への迅速な発注処理を行うことができるようにもなる。
【００４６】
この場合、調剤薬局がチェーン店の場合には、通信制御部１７０は、他のチェーン店における調剤薬局支援システムの通信制御部（図示せず）にも通信回線を介して接続されていてもよい。このように構成することにより、他のチェーン店との間で、発注単位に対して使用量の少ない医薬品の相互使用を図ることができるようになり、医薬品の在庫を適正にすることができるようになる。その結果、医薬品の管理コストを低減したり、有効期限切れで医薬品を廃棄しないといけなくなるような事態を回避したりすることができるようになる。
【００４７】
図６は、棚に医薬品が保管されている様子を示す図である。実施形態に係る調剤薬局支援システム１０においては、入庫処理部１４０、出庫処理部１５０及び在庫管理部１６０は、一つの医薬品名、医薬品コード又は商品流通コードに対して、複数の棚番（例えば、Ｓ２２，Ｓ３２、Ｓ４２）を割り当ててもよいことにしている。
そこで、実施形態に係る調剤薬局支援システム１０においては、一つの医薬品名、医薬品コード又は商品流通コードに対応する医薬品を複数の棚で管理することとしている。このため、上記のように構成することにより、もれのない確実な出庫処理や在庫管理を行うことができるようになる。
【００４８】
図７は、在庫管理画面の例（棚卸一覧）を示す図である。実施形態に係る調剤薬局支援システム１０においては、在庫の医薬品を検索すると、該当する医薬品の棚番が複数ある場合には、その棚番全部を表示するようにしている。このため、もれのない確実な在庫管理を行うことができる。この一覧画面においては、医薬品が医薬品名（画面では「薬品名」と表示。）で表示されているが、商品流通コードで表示を行う画面も準備されている。
【００４９】
図８は、自動開封ルールを設定するための画面の例を示す図である。図９は、自動開封ルールを設定するための基礎情報を示す画面の例を示す図である。
実施形態に係る調剤薬局支援システム１０においては、図８に示すように、箱で管理している医薬品の場合に、どういう条件になったら箱を開封するかのルール及びどの箱から開封するかのルール（図８中、開封順の欄参照。）を設定可能としている。
このため、このような調剤薬局支援システム１０を用いることによって、開封ルールを徹底することができるようになる。このため、過不足ない医薬品の在庫管理等を行うことができるようになる。その結果、管理コストを低減したり、有効期限切れで医薬品を廃棄しないといけなくなるような事態を回避したりすることができるようになる。
また、実施形態に係る調剤薬局支援システム１０においては、図９に示すような基礎情報に基づいて、箱を開封する際にどうのような比率で開封するかについてのルールが決定される。
なお、これらの画面においては、医薬品が医薬品名（画面では「薬品名」と表示。）で表示されているが、商品流通コードで表示を行う画面も準備されている。
【００５０】
実施形態に係る調剤薬局支援システム１０においては、出庫処理部１５０は、処方箋に基づいて医薬品を出庫するときに出庫ルールを画面に表示して医薬品の出庫処理を支援するとともに、医薬品名又は医薬品コードを入力する画面を表示して出庫処理に関する入力を支援するようにしている。
このため、薬剤師が処方箋に従って必要な医薬品を出庫するときには、調剤薬局支援システム１０に医薬品名又は医薬品コードを入力することで、商品流通コードを意識することなく適切な在庫管理を行うことができるようになる。
【００５１】
実施形態に係る調剤薬局支援システム１０においては、出庫処理部１５０は、処方箋に基づいて医薬品を出庫するときに出庫ルールを画面に表示して医薬品の出庫処理を支援するとともに、商品流通コード又はこれに相当する中間コードを入力する画面を表示して出庫処理に関する入力を支援するようにしている。
このため、薬剤師が処方箋に従って必要な医薬品を出庫するときに、この調剤薬局支援システム１０に商品流通コード又は又はこれに相当する中間コードを入力することで、確実な在庫管理を行うことができるようになる。
また、調剤薬局がチェーン店の場合であって、他のチェーン店に在庫の医薬品の箱を出庫するような場合に、調剤薬局支援システム１０に商品流通コード又は又はこれに相当する中間コードを入力することで、確実で迅速な在庫管理を行うことができるようになる。
【００５２】
実施形態に係る調剤薬局支援システム１０においては、入庫処理部１４０は、入庫した医薬品の商品流通コード及び数量に加えてロット番号毎の有効期限情報を入力する画面を表示して入庫処理を支援し、前記在庫管理部は、ロット番号毎に有効期限を管理することを可能としている。
このため、ロット毎に有効期限を管理できるようになるため、先入先出管理を徹底して行うことが可能になり、有効期限切れで医薬品を廃棄しなければいけない事態を極力回避することができるようになる。
【００５３】
実施形態に係る調剤薬局支援システム１０においては、医薬品の種類及び薬価と医薬品に対応する商品流通コード及び購入価とを対応させた薬価・購入価対応データ格納部（図示せず）をさらに備えている。
このため、医薬品を商品流通コードで表示するときに、商品流通コード毎に異なる購入価を同時に参照することができるため、きめの細かい会計処理が可能となる。
【００５４】
実施形態に記載の調剤薬局支援システム１０は、調剤薬局のコンピュータシステム（図示せず）に、この調剤薬局のコンピュータシステムを、処方箋に基づいて必要な入出力処理を行う処方箋処理部１１０と、医薬品名と医薬品コードと商品流通コードとを対応づけた医薬品データを格納した医薬品マスターデーター格納部１２０と、発注先に医薬品を商品流通コードで発注する発注処理部１３０と、医薬品に付されている商品流通コードで入庫処理を行う入庫処理部１４０と、医薬品コード、商品流通コード又はこれらのコードと関連付けられた中間コードで出庫処理を行う出庫処理部１５０と、医薬品コード、商品流通コード又はこれらのコードと関連付けられた中間コードで在庫管理を行う在庫管理部１６０と、これら各部を制御するための制御部１００とを備えた調剤薬局支援システム１０として機能させるための調剤薬局支援プログラムをインストールすることにより所定の機能を発揮する。
【００５５】
このため、本発明の調剤薬局支援プログラムによれば、調剤薬局のコンピュータシステムを、上記したように、調剤薬局における医薬品の発注処理、医薬品の入庫処理、医薬品の出庫処理、医薬品の在庫管理等の業務をトータルで支援して実効性のある在庫管理を実現することができる優れた調剤薬局支援システムとして機能させることができるようになる。
【００５６】
コンピュータシステムとしては、調剤薬局の規模によって異なるが、スタンドアロンのコンピュータからなるもの、ピアツーピアタイプのコンピュータシステムからなるもの、クライアントサーバタイプのコンピュータシステムからなるものを好ましく用いることができる。
【００５７】
コンピュータシステムには、薬袋を印刷するためのプリンタ、医薬品情報を印刷するためのプリンタ、領収書を印刷するためのプリンタ、各種処理結果を記憶させるための外部記憶装置、画面を表示するためのディスプレイ、コンピュータなどをネットワークに参加させるための各種ネットワーク機器なども含まれている。
【００５８】
実施形態においては、調剤薬局のコンピュータシステムに調剤薬局支援プログラムがインストールされて調剤薬局支援システムが構成されている例を示したが、本発明はこれには限られない。例えば、調剤薬局支援システム提供者のコンピュータシステムに調剤薬局支援プログラムをインストールしておき、各調剤薬局は調剤薬局支援システムの提供者のコンピュータシステムにその都度アクセスしながら調剤薬局支援システムを使用することもできる。
【図面の簡単な説明】
【００５９】
【図１】実施形態に係る調剤薬局支援システムの概要を示すブロック図。
【図２】発注伝票入力画面の例を示す図。
【図３】入庫伝票入力画面の例を示す図。
【図４】出庫伝票入力画面の例を示す図。
【図５】在庫管理画面の例を示す図。
【図６】棚に医薬品が保管されている様子を示す図。
【図７】在庫管理画面の例を示す図。
【図８】自動開封ルールを設定するための画面の例を示す図。
【図９】自動開封ルールを設定するための基礎情報を示す画面の例を示す図。
【符号の説明】
【００６０】
１０…調剤薬局支援システム、２０…最新の医薬品データが格納されたサーバ、３０…調剤薬局支援システム提供者側に設けられたサーバ、４０…卸問屋のサーバ、１００…制御部、１１０…処方箋処理部、１２０…医薬品マスターデータ格納部、１３０…発注処理部、１４０…入庫処理部、１５０…出庫処理部、１６０…在庫管理部、１７０…通信制御部
【図１】
2005115878.tif 000003
【図２】
2005115878.tif 000004
【図３】
2005115878.tif 000005
【図４】
2005115878.tif 000006
【図５】
2005115878.tif 000007
【図６】
2005115878.tif 000008
【図７】
2005115878.tif 000009
【図８】
2005115878.tif 000010
【図９】
2005115878.tif 000011